(57)【要約】【課題】歩留まりをよくすることが可能なバッテリ端子を提供する。【解決手段】バッテリポストＰの外周側を包囲するとともに周方向の一部が開放された形状をなすポスト接続部１１、及び前記ポスト接続部１１の周方向における両端から径方向の外側に突出し、締結部材３０により互いの間隔が狭められることで前記ポスト接続部１１を縮径させる一対の突出部１２を有する端子本体部１０と、前記端子本体部１０とは別体であり、前記締結部材３０により前記突出部１２に締結されることで前記端子本体部１０と電気的に接続される端子金具２０と、を備えている。【選択図】図２
2019087353.tif 000002
【特許請求の範囲】
【請求項１】
バッテリポストの外周側を包囲するとともに周方向の一部が開放された形状をなすポスト接続部、及び前記ポスト接続部の周方向における両端から径方向の外側に突出し、締結部材により互いの間隔が狭められることで前記ポスト接続部を縮径させる一対の突出部を有する端子本体部と、
前記端子本体部とは別体であり、前記締結部材により前記突出部に締結されることで前記端子本体部と電気的に接続される端子金具と、
を備えているバッテリ端子。
【請求項２】
前記端子金具が、前記一対の突出部の間に挟まれている請求項１に記載のバッテリ端子。
【請求項３】
前記一対の突出部または前記端子金具が、前記端子金具または前記締結部材の位置決めをする位置決め部を備えている請求項１または請求項２に記載のバッテリ端子。
【発明の詳細な説明】
【技術分野】
【０００１】
本発明は、バッテリ端子に関する。
【背景技術】
【０００２】
従来、バッテリ本体の上面に設けられたバッテリポストに対し、電線を電気的に接続するために用いられるバッテリ端子が知られている。例えば下記特許文献１に記載されたバッテリ端子は、ポストに締め付けられるポスト接続部と、電線が接続される電線接続部と、を一体に備えている。ポスト接続部は、バッテリポストの外周側を包囲するとともに周方向の一部が開放された形状をなし、その周方向における両端には、径方向の外側に突出する一対の突出部が設けられている。一対の突出部には、ボルトが貫通されており、ボルトの締め付けに伴って一対の突出部が接近し、ポスト接続部が縮径してバッテリポストに固定される。電線接続部は、ポスト接続部の上端縁に連なって設けられ、一対のカシメ片を有し、電線の導体が圧着により接続される。
【先行技術文献】
【特許文献】
【０００３】
【特許文献１】特開２０１０−３３７８３号公報
【発明の概要】
【発明が解決しようとする課題】
【０００４】
しかしながら、上記のような構成では、バッテリ端子の展開形状が大きくなるため、歩留まりが悪いという問題がある。すなわち上記のような構成のバッテリ端子の展開形状は、図１１に示すように、ポスト接続部及び一対の突出部を構成する部分１００と、電線接続部を構成する部分１０１とが、概ねＴ字形状をなすように繋がった形状になる。このような形状の金属板材が、細長いキャリアに沿って複数並んだ状態で打ち抜かれると、電線接続部を構成する部分１０１の両側が廃棄部分１０２になる。この廃棄部分は、バッテリ端子を構成する部分に対して比較的大きい面積を有するため、歩留まりがよくないという問題がある。
【０００５】
本発明は上記のような事情に基づいて完成されたものであって、歩留まりをよくすることが可能なバッテリ端子を提供することを目的とする。
【課題を解決するための手段】
【０００６】
本発明のバッテリ端子は、バッテリポストの外周側を包囲するとともに周方向の一部が開放された形状をなすポスト接続部、及び前記ポスト接続部の周方向における両端から径方向の外側に突出し、締結部材により互いの間隔が狭められることで前記ポスト接続部を縮径させる一対の突出部を有する端子本体部と、前記端子本体部とは別体であり、前記締結部材により前記突出部に締結されることで前記端子本体部と電気的に接続される端子金具と、を備えているものである。
【発明の効果】
【０００７】
本発明によれば、端子本体部の展開形状が小さくなるため、端子圧着部を一体に有しないから、従来に比して廃棄部分を小さくすることができ、もって歩留まりをよくすることができる。
【図面の簡単な説明】
【０００８】
【図１】本実施例におけるバッテリ端子であって、バッテリポストに接続する前の状態を示す側面図
【図２】バッテリポストに接続した状態のバッテリ端子を示す側面図
【図３】バッテリ端子を示す分解斜視図
【図４】電線が接続された状態のバッテリ端子を示す斜視図
【図５】電線が接続された状態のバッテリ端子を示す斜視図であり、図４とは反対側から見た斜視図
【図６】電線が接続された状態のバッテリ端子を示す底面図
【図７】端子本体部を示す斜視図
【図８】端子本体部を示す平面図
【図９】端子本体部の展開図
【図１０】端子金具の他の取り付け態様を示すバッテリ端子の斜視図
【図１１】従来のバッテリ端子の展開図
【発明を実施するための形態】
【０００９】
本発明の好ましい形態を以下に示す。
本発明のバッテリ端子は、前記端子金具が、前記一対の突出部の間に挟まれているものとしてもよい。このような構成によれば、端子金具により突出部の過度の撓みを規制することができる。
【００１０】
また、本発明のバッテリ端子は、前記一対の突出部または前記端子金具が、前記端子金具または前記締結部材の位置決めをする位置決め部を備えているものとしてもよい。このような構成によれば、端子金具または締結部材が位置決めされるから、電線の延出方向を固定したり、締結部材の連れ回りを防ぐことができる。
【００１１】
＜実施例＞
以下、本発明を具体化した一実施例について、図１〜図１０を参照しつつ詳細に説明する。
本実施例におけるバッテリ端子Ｔは、図１または図２に示すように、バッテリ本体Ｂの上面に突出するバッテリポストＰに対し、電線Ｗを電気的に接続するためのものである。バッテリ端子Ｔは、バッテリポストＰに固定される端子本体部１０と、電線Ｗの端末部に接続される端子金具２０と、を別体に備えている。端子本体部１０及び端子金具２０は、それぞれ導電性に優れた金属板材をプレス加工する等によって製造されている。
【００１２】
端子本体部１０は、バッテリポストＰに嵌合してバッテリポストＰに電気的に接続されるポスト接続部１１と、ポスト接続部１１の径寸法を調整するために設けられた一対の突出部１２とを備えている。
【００１３】
ポスト接続部１１は、図７に示すように、バッテリポストＰの外周側を包囲するとともに周方向の一部が開放された形状をなしている。ポスト接続部１１は、軸線を上下方向に向けた円弧形状をなしている。ポスト接続部１１の径寸法は、上端縁において最小であり、下端において最大とされ、全体としてバッテリポストＰと同様の円錐台形をなしている。
【００１４】
ポスト接続部１１は、バッテリポストＰに取り付けられる前は、径寸法がバッテリポストＰより一回り大きい拡径状態となっている。拡径状態では、ポスト接続部１１の径寸法は、バッテリポストＰに対して上方から円滑に嵌合できる程度のクリアランスを有している。ポスト接続部１１は、一対の突出部１２が接近することに伴って縮径するように変形する。
【００１５】
ポスト接続部１１の下端には、バッテリ本体Ｂの上面に沿って配される板状部１３が設けられている。板状部１３は、ポスト接続部１１の下端から径方向の外側に突出している。板状部１３は、ポスト接続部１１の外径と同等の幅寸法を有している。板状部１３は、図８に示すように、ポスト接続部１１の中心軸を間にして一対の突出部１２とは反対側に設けられている。
【００１６】
板状部１３には、図示しないバッテリカバーに係止するカバー係止部１４が設けられている。カバー係止部１４は、ポスト接続部１１を間にした両側に一対が設けられている。カバー係止部１４は、板状部１３の外周縁から上方に立ち上がるとともに、上端部が外向きに略直角に屈曲された形状をなしている。
【００１７】
一対の突出部１２は、図７及び図８に示すように、ポスト接続部１１の周方向における両端から径方向の外側に突出した平板状をなしている。一対の突出部１２は、ポスト接続部１１と一体に形成されている。一対の突出部１２は、概ね同じ大きさの方形状をなしている。一対の突出部１２は、板面の間に一定の間隔が空いた略平行をなしている。
一対の突出部１２には、締結部材３０が貫通される貫通穴１５が形成されている。貫通穴１５は、円形状をなしている。
【００１８】
一対の突出部１２は、正面側から見ると、図１に示すように、上下方向に対して傾いている。また、一対の突出部１２は、一方が相対的に上側に位置し、他方が相対的に下側に位置している。相対的に上側に位置する突出部１２（以後、第一突出部１２Ｆと称する）は、ポスト接続部１１の下端から上方に一段上がった位置に設けられている。一方、相対的に下側に位置する突出部１２（以後、第二突出部１２Ｓと称する）は、ポスト接続部１１の上縁から一段下がった位置に設けられている。
【００１９】
第一突出部１２Ｆ側には、後述する締結部材３０のナット３２が配され、第二突出部１２Ｓ側には、後述する締結部材３０のボルト３１の頭部３４が配される。これにより、締結部材３０が斜めに傾いた姿勢で、ナット３２が上方に配されるから、締結部材３０の締め付け作業を斜め上方から行うことができる。
【００２０】
一対の突出部１２は、端子金具２０または締結部材３０の位置決めをする位置決め部１６を備えている。位置決め部１６は、突出部１２の外縁から突出部１２の板面に対して略直角方向に立った形態をなしている。位置決め部１６は、端子金具２０または締結部材３０の外縁に当接することにより、端子金具２０または締結部材３０が突出部１２の板面に沿って変位することを防ぐ（回り止めをする）。位置決め部１６は、突出部１２の外縁から外側（一対の突出部１２の対向側とは反対側）に突出している。
【００２１】
位置決め部１６は、第一突出部１２Ｆに設けられた第一位置決め部１６Ｆと、第二突出部１２Ｓに設けられた第二位置決め部１６Ｓとを備えている。
第一位置決め部１６Ｆは、図７に示すように、第一突出部１２Ｆの下端に一対が設けられている。一対の第一位置決め部１６Ｆは、貫通穴１５を間にした両側（第一突出部１２Ｆのポスト接続部１１からの突出方向における先端側及び根元側）に配されている。一対の第一位置決め部１６Ｆのうち一方は、第一位置決め部１６Ｆの先端角部に配されている。
【００２２】
第二位置決め部１６Ｓは、図３に示すように、第二突出部１２Ｓの上下両端に一対が設けられている。一対の第二位置決め部１６Ｓは、第二突出部１２Ｓのポスト接続部１１からの突出方向における先端側、略半分程度の領域に設けられている。第二位置決め部１６Ｓは、突出寸法よりも幅寸法が大きい長方形状をなしている。上下一対の第二位置決め部１６Ｓのうち上側の第二位置決め部１６Ｓは、下側の第二位置決め部１６Ｓよりも突出寸法が大きくされている（図１参照）。
【００２３】
第二突出部１２Ｓの上端縁には、図３に示すように、第二位置決め部１６Ｓに隣接して凹部１７が形成されている。凹部１７は、第二突出部１２Ｓの上端縁のうち第二位置決め部１６Ｓとポスト接続部１１との段差１８によって形成された凹みである。
【００２４】
締結部材３０は、図３に示すように、金属製のボルト３１及びナット３２を有している。締結部材３０の締め込み量を調整することで一対の突出部１２の間隔が増減され、ポスト接続部１１の径寸法が増減（縮径または拡径）される。締結部材３０の締め付け量を調整することにより、バッテリポストＰに対してポスト接続部１１を適切な接続状態に保持することができる。
【００２５】
ボルト３１は、軸部３３と、軸部３３の一端に設けられた頭部３４とを備えている。軸部３３は、一対の突出部１２の貫通穴１５及び端子金具２０の貫通穴２５に貫通され、頭部３４は、第二突出部１２Ｓの板面に沿って配され、軸部３３の先端部（頭部３４と反対側の端部）は、第一突出部１２Ｆを貫通した先に突出する。
【００２６】
ボルト３１の頭部３４は、全体として略正方形の厚板状をなしている。頭部３４は、第二突出部１２Ｓの板面の概ね全体を覆う大きさを備えている。頭部３４の外周面（上下両面）は、第二位置決め部１６Ｓに近接して配され、これによりボルト３１は回転を規制される。
【００２７】
ナット３２は、外周が六角形状をなすものであり、内側にネジ孔が貫通して形成されている。ナット３２は、軸部３３の先端側に螺合されている。
ナット３２と第一突出部１２Ｆとの間にはワッシャ３５が挟まれている。ワッシャ３５は方形状をなし、ワッシャ３５の下端縁が一対の第一位置決め部１６Ｆに近接して配され、連れ回りが防止される。
【００２８】
端子金具２０は、端子本体部１０とは別体であり、締結部材３０により突出部１２に共締めされることで端子本体部１０と電気的に接続される。
【００２９】
端子金具２０は、突出部１２に接続される端子側接続部２１と、電線Ｗに接続される電線側接続部２２とを備えている。端子金具２０は、全体として略Ｌ字をなすように略直角に屈曲された形状をなしている。端子金具２０の屈曲部２３を間にして一方が端子側接続部２１、他方が電線側接続部２２とされている。
【００３０】
端子側接続部２１は、図３に示すように、突出部１２と同等の大きさもしくは突出部１２よりも小さい略方形の平板状をなしている。端子側接続部２１は、突出部１２に接続された状態では、締結部材３０の軸方向から見た概ね全体が突出部１２の投影面内に配される。端子側接続部２１には、締結部材３０が貫通される貫通穴２５が貫通形成されている。
【００３１】
電線側接続部２２には、電線Ｗの端末部を圧着する圧着部２４が設けられている。圧着部２４は、基板部２６の側縁からカシメ片２７を延出させたオープンバレル状をなしている。カシメ片２７は、基板部２６との間で電線Ｗの端末部を包囲するようにカシメ変形される。端子金具２０は、電線Ｗの端末部において露出された導体を圧着するワイヤバレル部２４Ａ、及び絶縁被覆を圧着するインシュレーションバレル部２４Ｂを備えている。
【００３２】
本実施例のバッテリ端子Ｔは、図３に示すように、２つの端子金具２０を備えている。２つの端子金具２０のうち一方の端子金具（以後、第一端子金具２０Ｆと称する）は相対的に大型であり、他方の端子金具（以後、第二端子金具２０Ｓと称する）は相対的に小型とされている。第一端子金具２０Ｆは相対的に太い電線Ｗの端末部に接続され、第二端子金具２０Ｓは、相対的に細い電線Ｗの端末部に接続されるものである。第二端子金具２０Ｓは、例えばフュージブルリンクから引き出された細物電線に接続されるＦＬ用端子金具である。
【００３３】
第一端子金具２０Ｆは、端子側接続部２１、屈曲部２３及び基板部２６が概ね同等の幅寸法（端子金具２０の長手方向に対し横方向の寸法）を有している。第一端子金具２０Ｆの端子側接続部２１の下端には、一対の第一位置決め部１６Ｆの間に嵌る幅寸法を有する段差突部２８が突出して設けられている（図１０参照）。第一端子金具２０Ｆの電線Ｗは、屈曲部２３の曲げの外側に圧着されている。
【００３４】
第二端子金具２０Ｓは、図３に示すように、端子側接続部２１に対して屈曲部２３及び基板部２６の幅寸法が小さくされている。第二端子金具２０Ｓの屈曲部２３及び基板部２６は、端子側接続部２１の幅方向における一端側に寄った位置に配されている。第二端子金具２０Ｓの屈曲部２３は、第二突出部１２Ｓの凹部１７に対応する幅寸法とされている。第二端子金具２０Ｓの電線Ｗは、屈曲部２３の曲げの内側に圧着されている。
【００３５】
なお、第一端子金具２０Ｆ及び第二端子金具２０Ｓは、端子側接続部２１の大きさが同等であり、電線側接続部２２の長さ寸法及び幅寸法については第一端子金具２０Ｆが第二端子金具２０Ｓより大きくされている。
【００３６】
次に、本実施例のバッテリ端子ＴをバッテリポストＰに取り付ける作業の一例を説明する。
まず、図１に示すように、ポスト接続部１１をバッテリポストＰに嵌合する。このとき、端子本体部１０に端子金具２０を取り付けた状態にしておく。すなわち、一対の突出部１２及び電線Ｗの端末部に圧着された状態の端子金具２０に締結部材３０を貫通しておく。第一端子金具２０Ｆの端子側接続部２１は、一対の突出部１２の間に入れた状態にし、第二端子金具２０Ｓの端子側接続部２１は、第二突出部１２Ｓとボルト３１の頭部３４との間に入れた状態にして締結部材３０を貫通させ緩く締める。このとき、ポスト接続部１１は拡径状態であり、バッテリポストＰに上方から嵌め入れることができる。
【００３７】
次に、締結部材３０を締め付ける。ナット３２を回転させると、一対の突出部１２が次第に接近する。このとき、一対の突出部１２の間に第一端子金具２０Ｆの端子側接続部２１が挟まれるから、突出部１２の過度のたわみを防ぐことができる。最終的には、図２に示すように、突出部１２の板面と端子側接続部２１の板面とが、面あたりした状態になる。すなわち第一端子金具２０Ｆの端子側接続部２１は、第一突出部１２Ｆ及び第二突出部１２Ｓの間に挟まれて両突出部１２の板面に面当たりする。第二端子金具２０Ｓの端子側接続部２１は、第二突出部１２Ｓとボルト３１の頭部３４との間に挟まれて第二突出部１２Ｓ及びボルト３１の頭部３４に面当たりする。こうして、端子側接続部２１と突出部１２とが面接触することにより、端子本体部１０と端子金具２０とが電気的に接続された状態になる。また、縮径変形したポスト接続部１１は、バッテリポストＰの外周面に面接触状態で密着し、バッテリポストＰに対して導通可能に接続された状態で固定される。
以上により、バッテリ端子ＴをバッテリポストＰに取り付ける作業が完了する。
【００３８】
バッテリ端子ＴがバッテリポストＰに取り付けられた状態では、図２に示すように、第一端子金具２０Ｆ及び第二端子金具２０Ｓは、同じ向きで略平行をなして配されている。第二端子金具２０Ｓは、第一端子金具２０Ｆより低い位置に配されている。第一端子金具２０Ｆの基板部２６と第二端子金具２０Ｓの基板部２６とが互いに対向する向きとなっている。
【００３９】
また、第一端子金具２０Ｆの屈曲部２３は、第二突出部１２Ｓの上側に位置し、第二端子金具２０Ｓの屈曲部２３は、ボルト３１の頭部３４の上側に位置している。第二端子金具２０Ｓの屈曲部２３は、第二突出部１２Ｓの凹部１７の位置に配され、上側の第二位置決め部１６Ｓと同じ高さ位置に配されている。第一端子金具２０Ｆ及び第二端子金具２０Ｓの電線側接続部２２の下端は、いずれもバッテリ本体Ｂの上面より上方に位置している。電線Ｗは、電線側接続部２２に沿って斜め下方に延び、垂直方向に垂下されている。
【００４０】
次に、上記のように構成された実施例の作用および効果について説明する。
本実施例のバッテリ端子Ｔは、バッテリポストＰの外周側を包囲するとともに周方向の一部が開放された形状をなすポスト接続部１１、及びポスト接続部１１の周方向における両端から径方向の外側に突出し、締結部材３０により互いの間隔が狭められることでポスト接続部１１を縮径させる一対の突出部１２を有する端子本体部１０と、端子本体部１０とは別体であり、締結部材３０により突出部１２に締結されることで端子本体部１０と電気的に接続される端子金具２０と、を備えている。この構成によれば、端子本体部１０が、従来の電線接続部に相当する部分を備えていないから、端子本体部１０の展開形状が小さくなる。すなわち、本実施例の端子本体部１０の展開形状は、図９に示すように、ポスト接続部１１及び一対の突出部１２を構成する部分４０の長手方向中央部に、板状部１３を構成する部分４１が膨出した形状をなしている。板状部１３を構成する部分４１は、従来の電線接続部を構成する部分１０１に比して短く、また幅広な形状をなしている。よって、廃棄部分４２の面積は、バッテリ端子Ｔの端子本体部１０を構成する部分に対して小さくなっている。したがって、従来に比して歩留まりをよくすることができる。
【００４１】
また、第一端子金具２０Ｆが、一対の突出部１２の間に挟まれている。この構成によれば、第一端子金具２０Ｆにより突出部１２の過度の撓みを規制することができ、また、接続信頼性を確保することができる。
【００４２】
また、一対の突出部１２が、締結部材３０の位置決めをする位置決め部１６を備えている。すなわち、一対の突出部１２が、ワッシャ３５の位置決めをする第一位置決め部１６Ｆと、ボルト３１の頭部３４の位置決めをする第二位置決め部１６Ｓとを備えている。この構成によれば、締結部材３０が位置決めされるから、締結部材３０の連れ回りを防ぐことができる。
【００４３】
また、例えば、図１０に示すように、第一端子金具２０Ｆを、第一突出部１２Ｆの外側に配置することにより、第一位置決め部１６Ｆが、第一端子金具２０Ｆを位置決めする機能を発揮する。すなわち第一端子金具２０Ｆの下端が、一対の第一位置決め部１６Ｆの上面に近接して配され、第一端子金具２０Ｆの下端の段差突部２８が、一対の第一位置決め部１６Ｆの間に嵌合することにより、第一端子金具２０Ｆは回り止めされる。このように、位置決め部１６は、端子金具２０の取り付け態様により、締結部材３０の回り止めや端子金具２０の位置決めをすることができる。
【００４４】
＜他の実施例＞
本発明は上記記述及び図面によって説明した実施例に限定されるものではなく、例えば次のような実施例も本発明の技術的範囲に含まれる。
（１）上記実施例では、突出部１２に位置決め部１６が設けられているが、これに限らず、端子金具を位置決めするための位置決め部を、端子金具側に設けてもよい。
（２）上記実施例では、一対の突出部１２が略平行をなしているが、これに限らず、例えば一対の突出部が、ポスト接続部の径方向における外側に向けて互いの間隔が増すように斜め方向に突出しているものとしてもよい。このような構成によれば、外側が閉じたときには、内側が閉じるようにして、突出部の全体を平行に閉じやすくすることができる。
（３）上記実施例では、バッテリ端子Ｔが２つの端子金具２０を備えているが、これに限らず、端子金具は１つのみ、もしくは３つ以上備えられていてもよい。
（４）上記実施例では、第一端子金具２０Ｆのみを一対の突出部１２の間に挟んでいるが、これに限らず、複数の端子金具を一対の突出部の間に挟んでも良く、また複数の端子金具を一対の突出部の外側に配して、突出部とボルトの頭部またはナットとの間に挟んでも良い。すなわち端子金具の本数等により、一対の突出部に対する端子金具の接続態様は任意に変更することができる。
（５）上記実施例では、端子金具２０の端子側接続部２１と突出部１２とが板面同士を面当たりさせて電気的に接続されているが、これに限らず、例えばいずれか一方に設けた突起部等を当接させて電気的に接続するものとしてもよい。
（６）上記実施例では、端子金具２０の構成を具体的に例示したが、これに限らず、端子金具の構成は任意に変更することができる。
【符号の説明】
【００４５】
Ｐ…バッテリポスト
Ｔ…バッテリ端子
１０…端子本体部
１１…ポスト接続部
１２…突出部
１６…位置決め部
２０…端子金具
３０…締結部材
【図１】
2019087353.tif 000003
【図２】
2019087353.tif 000004
【図３】
2019087353.tif 000005
【図４】
2019087353.tif 000006
【図５】
2019087353.tif 000007
【図６】
2019087353.tif 000008
【図７】
2019087353.tif 000009
【図８】
2019087353.tif 000010
【図９】
2019087353.tif 000011
【図１０】
2019087353.tif 000012
【図１１】
2019087353.tif 000013